(57)【要約】【課題】タイル壁を有する建物と足場とを連結する壁つなぎの固定具の建物外壁面への取り付けを容易にし、建物外壁面のタイル壁の外観の維持を図れるようにする。【解決手段】建物外壁面に穿設された固定穴６内に挿入固定され、建物外壁側端部に雌ねじ部１５ａを有すると共に、雌ねじ部に連接して該雌ねじ部より大径の空間部１６を有する筒状の本体１１と、表面にタイル片５ａを接着するベース板部１２と、ベース板部の裏面に直交状に突出する棒状部１３とからなり、棒状部は本体の雌ねじ部より小径に形成され、該棒状部の先端に雌ねじ部に螺合されると共に、空間部内に移動可能な雄ねじ部１８を有する保護部材１４と、を具備する。壁つなぎの不使用時に、保護部材の雄ねじ部を本体の空間部内に位置して、タイル片が建物のタイル壁の一部を構成し、壁つなぎの使用時には、保護部材を本体から取り外して本体の第１の雌ねじ部に壁つなぎを螺合可能にする。【選択図】図２
2015048671.tif 000002
【特許請求の範囲】
【請求項１】
タイル壁を有する建物の改修工事等の際に、足場と建物とを連結すべく設けられる壁つなぎの固定具であって、
上記建物外壁面に穿設された固定穴内に挿入固定され、少なくとも建物外壁側端部に雌ねじ部を有すると共に、上記雌ねじ部に連接して該雌ねじ部より大径の空間部を有する筒状の本体と、
表面にタイル片を接着するベース板部と、該ベース板部の裏面に直交状に突出する棒状部とからなり、上記棒状部は上記本体の雌ねじ部より小径に形成され、該棒状部の先端に上記雌ねじ部に螺合されると共に、上記空間部内に移動可能な雄ねじ部を有する保護部材と、を具備し、
上記壁つなぎの不使用時に、上記保護部材の雄ねじ部を上記本体の空間部内に位置して、上記タイル片が上記建物のタイル壁の一部を構成し、
上記壁つなぎの使用時には、上記保護部材を上記本体から取り外して本体の雌ねじ部に壁つなぎを螺合可能にする、
ことを特徴とする壁つなぎ用固定具。
【請求項２】
請求項１に記載の壁つなぎ用固定具において、
上記本体の建物内壁側の端部に雌ねじ部を設け、該雌ねじ部に螺合する雄ねじ部を有し、先端が上記固定穴の底部に当接する設置長さ調整部材を更に具備する、ことを特徴とする壁つなぎ用固定具。
【請求項３】
請求項１に記載の壁つなぎ用固定具において、
上記本体の建物外壁側端部の外周に係止溝を設け、上記保護部材の棒状部側面に、該保護部材の雄ねじ部が上記空間部内に位置する状態で上記係止溝に係合するスプリングロック部を設ける、ことを特徴とする壁つなぎ用固定具。
【請求項４】
請求項１ないし３のいずれかに記載の壁つなぎ用固定具において、
少なくとも上記ベース板部の表面が露出する開口を有するバックアップ材を更に具備し、該バックアップ材は、タイル片が取り外された建物外壁面に穿設された上記固定穴内に上記本体を挿入し、該本体に取り付けられた上記保護部材のベース板部の表面を、取り外したタイル片の設置面と同一面上に合わせた状態で、上記タイル片が取り外された領域内の建物外壁面に取り付けられる、ことを特徴とする壁つなぎ用固定具。
【発明の詳細な説明】
【技術分野】
【０００１】
この発明は、タイル壁を有する建物と足場とを連結する壁つなぎの固定具に関するものである。
【背景技術】
【０００２】
一般に、マンション等の建物に対する改修工事の際には、高所での作業者の作業スペースを確保するために足場が組まれる。この場合、強風などにより足場の倒壊を防ぐために、建物の壁面にアンカーを打ち込み、壁つなぎにより足場と建物を連結する必要がある。
【０００３】
しかし、外壁に打ち込んだアンカーに壁つなぎを連結して足場と建物を連結させた場合は、工事が終了した後、アンカーを取り除き、壁体を元の状態に戻さなければならず、多くの手間を要する上、建物の外観を低下させる問題がある。
【０００４】
この問題を解決する手段として、従来では、建物の外壁面のコンクリート部材への埋め込み、あるいは、外壁面に穿設された穴内に接着剤を介して固定される雌ねじ部を備える固定具の外表面に蓋体を着脱自在に取り付ける構造が知られている（例えば、特許文献１参照）。
【先行技術文献】
【特許文献】
【０００５】
【特許文献１】特許第４２５１３６７号公報（特許請求の範囲、図５）
【発明の概要】
【発明が解決しようとする課題】
【０００６】
しかしながら、特許文献１に記載の発明においては、建物の外壁面のコンクリート部材への埋め込み、あるいは、外壁面に穿設された穴内に固定される雌ねじ部を備える固定具の外表面に、雄ねじ部を有する蓋体を着脱自在に取り付ける（螺合する）構造であるため、建物の仕上げがタイル貼りの場合には、固定具の取り付け及び工事終了後の蓋体の取り付けに多くの手間を要すると共に、建物の外観を低下させる懸念がある。
【０００７】
すなわち、建物の仕上げがタイル貼りの場合には、アンカーを打ち込むためにタイルの一部のタイル片を剥がし、作業後にはタイルを貼り直す必要があるため、多くの手間を要し、工費も高額となる。また、全く同じ色のタイルがないため、タイルを新しいものにすると、作業部分が周囲と異なって見えることになり、建物の外観が損なわれる懸念がある。
【０００８】
特に、マンションの大規模改修は１０年おきに繰り返され、その都度、壁つなぎにより足場と建物を連結する作業が行われるため、上記の問題を解決することは重要な課題である。
【０００９】
この発明は、上記事情に鑑みてなされたもので、タイル壁を有する建物の改修工事における、足場と建物とを連結する壁つなぎの固定具の建物外壁面への取り付けを容易にすると共に、工事終了後の建物外壁面のタイル壁の外観の維持を図れるようにした壁つなぎ用固定具を提供する。
【課題を解決するための手段】
【００１０】
上記課題を解決するため、請求項１に記載の発明は、タイル壁を有する建物の改修工事等の際に、足場と建物とを連結すべく設けられる壁つなぎの固定具であって、  上記建物外壁面に穿設された固定穴内に挿入固定され、少なくとも建物外壁側端部に雌ねじ部を有すると共に、上記雌ねじ部に連接して該雌ねじ部より大径の空間部を有する筒状の本体と、  表面にタイル片を接着するベース板部と、該ベース板部の裏面に直交状に突出する棒状部とからなり、上記棒状部は上記本体の雌ねじ部より小径に形成され、該棒状部の先端に上記雌ねじ部に螺合されると共に、上記空間部内に移動可能な雄ねじ部を有する保護部材と、を具備し、  上記壁つなぎの不使用時に、上記保護部材の雄ねじ部を上記本体の空間部内に位置して、上記タイル片が上記建物のタイル壁の一部を構成し、  上記壁つなぎの使用時には、上記保護部材を上記本体から取り外して本体の雌ねじ部に壁つなぎを螺合可能にする、ことを特徴とする。
【００１１】
請求項１に記載の壁つなぎ用固定具において、上記本体の建物内壁側の端部に雌ねじ部を設け、該雌ねじ部に螺合する雄ねじ部を有し、先端が上記固定穴の底部に当接する設置長さ調整部材を更に具備するのが好ましい（請求項２）。
【００１２】
また、請求項１に記載の壁つなぎ用固定具において、上記本体の建物外壁側端部の外周に係止溝を設け、上記保護部材の棒状部側面に、該保護部材の雄ねじ部が上記空間部内に位置する状態で上記係止溝に係合するスプリングロック部を設けるのが好ましい（請求項３）。
【００１３】
請求項４に記載の発明は、請求項１ないし３のいずれかに記載の壁つなぎ用固定具において、少なくとも上記ベース板部の表面が露出する開口を有するバックアップ材を更に具備し、該バックアップ材は、タイル片が取り外された建物外壁面に穿設された上記固定穴内に上記本体を挿入し、該本体に取り付けられた上記保護部材のベース板部の表面を、取り外したタイル片の設置面と同一面上に合わせた状態で、上記タイル片が取り外された領域内の建物外壁面に取り付けられる、ことを特徴とする。
【００１４】
請求項１，４に記載の発明によれば、表面にタイル片を接着する保護部材の棒状部の先端の雄ねじ部を、本体の外壁側端部に設けられた雌ねじ部に螺合すると共に、本体の空間部内に移動可能に取り付け、タイル片が取り外された建物外壁面に穿設された固定穴内に筒状の本体を挿入固定することにより、壁つなぎの不使用時に、保護部材の雄ねじ部を本体の空間部内に位置して、タイル片が建物のタイル壁の一部を構成することができる。また、壁つなぎの使用時には、保護部材を本体から取り外して本体の雌ねじ部に壁つなぎを螺合可能にすることができる。
【００１５】
請求項２に記載の発明によれば、表面にタイル片を接着する保護部材の棒状部の先端の雄ねじ部を、本体の外壁側端部に設けられた雌ねじ部に螺合すると共に、本体の空間部内に移動可能に取り付け、設置長さ調整部材の本体からの突出長さを調整して、タイル片が取り外された建物外壁面に穿設された固定穴内に筒状の本体を挿入固定することにより、壁つなぎの不使用時に、保護部材の雄ねじ部を本体の空間部内に位置して、タイル片が建物のタイル壁の一部を構成することができる。また、壁つなぎの使用時には、保護部材を本体から取り外して本体の雌ねじ部に壁つなぎを螺合可能にすることができる。
【００１６】
請求項３に記載の発明によれば、表面にタイル片を接着する保護部材の棒状部の先端の雄ねじ部を、本体の外壁側端部に設けられた雌ねじ部に螺合すると共に、本体の空間部内に移動可能に取り付け、かつ、本体の係止溝と保護部材のスプリングロック部とを係合した状態で、タイル片が取り外された建物外壁面に穿設された固定穴内に筒状の本体を挿入固定することにより、壁つなぎの不使用時に、保護部材の雄ねじ部を本体の空間部内に位置して、タイル片が建物のタイル壁の一部を構成することができる。また、壁つなぎの使用時には、本体の係止溝と保護部材のスプリングロック部との係合を解除した後、保護部材を本体から取り外して本体の雌ねじ部に壁つなぎを螺合可能にすることができる。
【発明の効果】
【００１７】
この発明によれば、上記のように構成されているので、タイル壁を有する建物の改修工事における、足場と建物とを連結する壁つなぎの固定具の建物外壁面への取り付けを容易にすると共に、工事終了後の建物外壁面のタイル壁の外観の維持を図ることができる。
【００１８】
また、改修作業後に建物外壁面にタイルを貼り直す必要がなく、取り外したタイル片を接着して保護部材を取り付けることができるため、工数の削減が図れると共に、コストの低廉化が図れる。
【図面の簡単な説明】
【００１９】
【図１】この発明に係る壁つなぎ用固定具の取り付け状態を示す斜視図である。
【図２】上記壁つなぎ用固定具の取り付け状態を示す断面図である。
【図３】上記壁つなぎ用固定具の分解断面図である。
【図４】上記壁つなぎ用固定具の取り付け状態を示す要部断面斜視図である。
【図５】この発明における本体に保護部材を取り付ける状態を示す断面斜視図である。
【図６】この発明における本体に保護部材を取り付けた状態を示す断面斜視図である。
【図７Ａ】上記壁つなぎ用固定具を取り付ける前の外壁の概略断面図である。
【図７Ｂ】外壁の固定穴を穿設した状態の概略断面図である。
【図７Ｃ】上記固定穴に本体を挿入して位置合わせする状態の概略断面図である。
【図７Ｄ】固定穴に本体を挿入固定した状態の概略断面図である。
【図７Ｅ】本体に保護部材を取り付けた状態の概略断面図である。
【図８】保護部材を取り外す前の状態を示す斜視図である。
【図９Ａ】目地モルタルを剥がした状態の概略断面図である。
【図９Ｂ】保護部材を取り外す前の状態の概略断面図である。
【図９Ｃ】保護部材を取り外す状態の概略断面図である。
【図９Ｄ】壁つなぎを取り付ける状態の概略断面図である。
【図１０】壁つなぎを取り付ける状態を示す斜視図である。
【発明を実施するための形態】
【００２０】
以下に、この発明に係る壁つなぎ用固定具について、添付図面を参照して詳細に説明する。ここでは、タイル壁を有する建物の改修工事の際に、この発明に係る壁つなぎ用固定具を適用する場合について説明する。この場合、建物はコンクリート製の躯体１にて形成されており、躯体１の外壁面１ａには下地モルタル２及びタイル貼付モルタル３を介在してタイル壁５を構成する複数のタイル片５ａが貼付されている。
【００２１】
この発明に係る壁つなぎ用固定具１０（以下に固定具１０という）は、図２ないし図６に示すように、タイル片５ａが取り外された建物外壁面すなわち躯体外壁面１ａに穿設された固定穴６内に挿入固定される筒状の本体１１と、表面にタイル片５ａを接着するベース板部１２と、ベース板部１２の裏面に直交状に突出する棒状部１３とからなる保護部材１４と、本体１１の建物内壁側に螺合される設置長さ調整部材２０とを具備する。
【００２２】
本体１１は、建物外壁側端部に第１の雌ねじ部１５ａを有すると共に、第１の雌ねじ部１５ａに連接する第１の雌ねじ部１５ａより大径の空間部１６を有し、かつ、建物内壁側端部に第２の雌ねじ部１５ｂを有する。
【００２３】
この場合、本体１１は、第１の雌ねじ部１５ａと空間部１６を有する長いナット１１ａと、第２の雌ねじ部１５ｂを有する短いナット１１ｂとを、空間部１６の端部に設けられた座ぐり穴１１ｃ内に嵌合される座金１１ｄを介在して溶接等によって接合してなる。なお、長いナット１１ａの建物外壁側端部には、ナットの外径より小径の円筒部１１ｅが延在している。また、本体１１を構成する長いナット１１ａの建物外壁側端部の円筒部１１ｅの外周には係止溝１７が周設されている。
【００２４】
設置長さ調整部材２０は、本体１１の第２の雌ねじ部１５ｂに螺合されるボルトにて形成されており、頭部２１が固定穴６の底部６ａに当接可能に形成されている。
【００２５】
保護部材１４は、表面にタイル片５ａを接着するベース板部１２と、ベース板部１２の裏面に直交状に突出する棒状部１３とからなり、棒状部１３は本体１１の第１の雌ねじ部１５ａより小径に形成され、棒状部１３の先端に第１の雌ねじ部１５ａに螺合されると共に、空間部１６内に移動可能な雄ねじ部１８を有する。
【００２６】
また、保護部材１４の棒状部１３の側面には、保護部材１４の雄ねじ部１８が空間部１６内に位置する状態で係止溝１７に係合するスプリングロック部３０が設けられている。この場合、スプリングロック部３０は、ベース板部１２と棒状部１３の接合部に固定される固定片３１の対向する両端から建物内壁側に延在する一対の係止片３２とからなり、係止片３２の先端側には、対向側に屈曲して係止溝１７に弾発力の付勢によって係合する係止爪部３３が形成されている。
【００２７】
上記のように構成される固定具１０は、壁つなぎの不使用時には、保護部材１４の雄ねじ部１８を本体１１の空間部１６内に位置して、保護部材１４のベース板部１２に接着されたタイル片５ａが建物のタイル壁５の一部を構成することができる。また、壁つなぎの使用時には、保護部材１４を本体１１から取り外して本体１１の第１の雌ねじ部１５ａに壁つなぎを螺合可能にすることができる。
【００２８】
以下に、上記のように構成される固定具１０を、タイル壁５を有する建物（躯体１）の外壁面１ａに取り付ける施工手順について図７Ａないし図７Ｅを参照して説明する。
【００２９】
まず、図７Ａに示す固定具１０を取り付ける前の外壁の所定のタイル片５ａを剥がすと共に、該タイル片５ａの直下のタイル貼付モルタル３と下地モルタル２を除去して躯体１の外壁面１ａを露出する。次に、躯体１の外壁面１ａに固定穴６を穿設する（図７Ｂ参照）。
【００３０】
次に、保護部材１４の雄ねじ部１８を本体１１の第１の雌ねじ部１５ａに螺合し、雄ねじ部１８を本体１１の空間部１６内に位置させると共に、保護部材１４に設けられたスプリングロック部３０の係止爪部３３を本体１１に設けられた係止溝１７に係合する。この状態で、設置長さ調整部材２０の本体１１からの突出長さを調整して、固定穴６内に本体１１を挿入し、設置長さ調整部材２０の頭部２１を固定穴６の底部６ａに当接して、ベース板部１２の表面を、取り外したタイル片５ａの設置面と同一面上に合わせる（図７Ｃ参照）。この際、図７Ｃに示すように、取り外したタイル片５ａの周囲の対向するタイル壁５の表面に当接する基準面４１と、基準面４１からタイル片５ａの厚さ分突出してベース板部１２の表面に当接する位置合わせ面４２と、を有する位置合わせ治具４０を用いて、ベース板部１２の表面を、取り外したタイル片５ａの設置面と同一面上に合わせる。
【００３１】
上記のように、設置長さ調整部材２０の本体１１からの突出長さを調整すると共に、位置合わせ治具４０を用いて、ベース板部１２の表面を、取り外したタイル片５ａの設置面と同一面上に合わせることにより、固定穴６内に挿入される本体１１の位置決めを容易、かつ、正確にすることができる。
【００３２】
次に、少なくともベース板部１２の表面が露出する開口５１を有するバックアップ材５０を、タイル片５ａが取り外された領域内の躯体１の外壁面１ａに取り付ける。次に、固定穴６から本体１１を抜き取った後、固定穴６内に接着剤６０を充填して本体１１を固定穴６内に挿入固定する（図７Ｄ参照）。
【００３３】
次に、裏面に接着剤（図示せず）が塗布されたタイル片５ａを保護部材１４のベース板部１２の表面に押圧して接着する。その後、タイル片５ａの周囲の隙間に目地モルタル４を充填する（図７Ｅ参照）。なお、固定具１０は躯体１の外壁面１ａに例えば４ｍピッチで、上記と同様の手順（工程）で取り付けられる。
【００３４】
上記のような工程によって躯体１の外壁面１ａに固定具１０を取り付ける施工方法によれば、躯体１の外壁面１ａに穿設された固定穴６内に固定具１０の本体１１を容易に挿入固定することができると共に、保護部材１４のベース板部１２に接着されるタイル片５ａが躯体１の外壁面１ａに貼着されたタイル壁５の一部を構成することができ、タイル壁５の外観の維持を図ることができる。
【００３５】
また、上記実施形態の固定具１０によれば、保護部材１４に設けられたスプリングロック部３０の係止爪部３３が本体１１に設けられた係止溝１７に係合されているので、保護部材１４が不用意に外方側に移動する虞がない。
【００３６】
次に、上記のように構成された固定具１０に壁つなぎを取り付ける手順について、図８ないし図１０を参照して説明する。
【００３７】
まず、保護部材１４のベース板部１２に接着されたタイル片５ａの周囲の目地モルタル４を剥がす（図９Ａ参照）。次に、図８に示すように、タイル片５ａの上下辺部を挟持する取り外し治具７０を用いて、本体１１の係止溝１７と保護部材１４のスプリングロック部３０の係止爪部３３との係合を解除すると共に、ベース板部１２をタイル壁５より外方へ移動して、保護部材１４の雄ねじ部１８と本体１１の第１の雌ねじ部１５ａとを係合する（図９Ｂ参照）。
【００３８】
次に、保護部材１４の雄ねじ部１８を反時計方向に回転し（図９Ｃ参照）、雄ねじ部１８と本体１１の第１の雌ねじ部１５ａとの螺合を解除して保護部材１４を本体１１から取り外す（図９Ｄ、図１０参照）。本体１１から取り外された保護部材１４は、改修工事期間中、別の場所に保管される。
【００３９】
保護部材１４を本体１１から取り外した後、本体１１の第１の雌ねじ部１５ａに壁つなぎ７の雄ねじ部７ａを螺合して壁つなぎ７を固定具１０に取り付ける（図９Ｄ、図１０参照）。これにより、建物（躯体１）と足場（図示せず）を壁つなぎ７を介して連結することができる。
【００４０】
上記実施形態の壁つなぎ７の取り付け方法によれば、タイル片５ａを有する保護部材１４を固定具１０の本体１１から取り外した後、本体１１の第１の雌ねじ部１５ａに壁つなぎ７の雄ねじ部７ａを螺合して壁つなぎ７を取り付けることができるため、改修工事毎にタイル壁５の一部を剥がしてアンカーを打ち込む必要がなく、また、改修作業後には、取り外した保護部材１４を本体１１に取り付ければよいので、タイルを貼り直す必要もない。したがって、工数の削減が図れると共に、コストの低廉化が図れる。
【００４１】
なお、上記実施形態では、本体１１の躯体内側端部に第２の雌ねじ部１５ｂを設け、該第２の雌ねじ部１５ｂに設置長さ調整部材２０を螺合させる場合について説明したが、設置長さ調整部材２０を用いずに本体１１を固定穴６内に位置合わせした状態で挿入固定するようにしてもよい。この場合は、保護部材１４を取り付けた状態の本体１１の長さ寸法に合わせて固定穴６を穿設することで、本体１１を固定穴６内に位置合わせした状態で挿入固定することができる。
【００４２】
また、上記実施形態では、保護部材１４に設けられたスプリングロック部３０の係止爪部３３を本体１１に設けられた係止溝１７に係合する場合について説明したが、必ずしも保護部材１４に設けられたスプリングロック部３０の係止爪部３３を本体１１に設けられた係止溝１７に係合する必要はない。例えば、本体１１における空間部１６の側部に、ばねを内蔵したボールが空間部１６内に突出するボールプランジャを設け、保護部材１４の雄ねじ部１８が空間部１６内に位置した際に、雄ねじ部１８の基端部にボールプランジャのボールを弾性係合させる構造としてもよい。
【００４３】
なお、この発明に係る固定具１０は既存の建物の改修工事以外に、新築の建物の外装工事にも適用できることは勿論である。
【符号の説明】
【００４４】
１  躯体（建物）
１ａ  外壁面
４  目地モルタル
５  タイル壁
５ａ  タイル片
６  固定穴
６ａ底部
７  壁つなぎ
７ａ  雄ねじ部
１０  壁つなぎ用固定具
１１  本体
１２  ベース板部
１３  棒状部
１４  保護部材
１５ａ  第１の雌ねじ部
１５ｂ  第２の雌ねじ部
１６  空間部
１７  係止溝
１８  雄ねじ部
２０  設置長さ調整部材
２１  頭部
３０  スプリングロック部
４０  位置合わせ治具
４１  基準面
４２  位置合わせ面
５０  バックアップ材
５１  開口
６０  接着剤
【図１】
2015048671.tif 000003
【図２】
2015048671.tif 000004
【図３】
2015048671.tif 000005
【図４】
2015048671.tif 000006
【図５】
2015048671.tif 000007
【図６】
2015048671.tif 000008
【図７Ａ】
2015048671.tif 000009
【図７Ｂ】
2015048671.tif 000010
【図７Ｃ】
2015048671.tif 000011
【図７Ｄ】
2015048671.tif 000012
【図７Ｅ】
2015048671.tif 000013
【図８】
2015048671.tif 000014
【図９Ａ】
2015048671.tif 000015
【図９Ｂ】
2015048671.tif 000016
【図９Ｃ】
2015048671.tif 000017
【図９Ｄ】
2015048671.tif 000018
【図１０】
2015048671.tif 000019